(57)【特許請求の範囲】
【請求項１】
ヘルメットまたは保護衣用の連結装置（６）であって、互いに対してスライド可能に配置された前記ヘルメットまたは保護衣の第１部分（２）及び第２部分（３）を連結するように構成される連結装置（６）において、
前記連結装置（６）が、全ての方向における前記第１部分（２）及び前記第２部分（３）間の前記スライド運動を可能にするように構成され、該連結装置（６）が、
前記第１部分（２）及び第２部分（３）の間においてスライド運動中にスプリング力及び／または減衰力を作り出すデバイス（８）；及び、
所定の長さを有する非弾性の細長い連結部材（７）を含み、該連結部材（７）が一端においてスプリング力及び／または減衰力を作り出す前記デバイス（８）に連結され、かつ他端において前記第１部分（２）及び前記第２部分（３）のうちの一方に連結されるように構成され、
ここで、前記の非弾性の細長い連結部材（７）が、スプリング力及び／または減衰力を作り出す前記デバイス（８）と前記第１部分（２）及び前記第２部分（３）のうちの一方とに連結された状態において、曲げることのできるものである、
前記連結装置（６）。
【請求項２】
スライド促進器（４）が、前記第１または第２部分（２、３）における斜め衝突によって引き起こされる力（Ｆ）に応答して前記第１及び第２部分（２、３）の間においてスライド運動を促進するために、前記第１及び前記第２部分（２、３）の間に配置されることを特徴とする、請求項１に記載の連結装置（６）。
【請求項３】
前記連結部材（７）が、細長い硬質のピンであり、該ピンが、その第１端または第２端（７ａ、７ｂ）において前記第１または前記第２部分（２、３）に連結され、並びに、その第１端及び第２端（７ａ、７ｂ）において、またはその第１端及び第２端（７ａ、７ｂ）の間において、スプリング力及び／または減衰力を作り出す前記デバイス（８）に連結されることを特徴とする、請求項１または２に記載の連結装置（６）。
【請求項４】
スプリング力及び／または減衰力を作り出す少なくとも１つの前記デバイス（８）が、ねじりばね、板ばねまたはらせんばねであり、該ねじりばね、板ばねまたはらせんばねが、前記連結部材（７）と前記第１または第２部分（２、３）のうちのいずれかとに連結され、あるいは前記連結部材（７）と前記第１または第２部分（２、３）のうちのいずれか
とに抗して作用することを特徴とする、請求項３に記載の連結装置（６）。
【請求項５】
少なくとも１つの前記連結部材（７）が、スプリング力及び／または減衰力を作り出す前記デバイス（８）と前記第１部分（２）及び前記第２部分（３）のうちの一方とに連結された状態において、曲げることのできる細長い部材であり、該細長い部材が、一端（７ａ、７ａ’、７ａ’’）において、スプリング力及び／または減衰力を作り出す前記デバイス（８）に連結され、かつ、他端（７ｂ、７ｂ’、７ｂ’’）において前記第１または第２部分（２、３）のうちのいずれかに連結されたことを特徴とする、請求項１または２に記載の連結装置（６）。
【請求項６】
前記第１及び第２部分の間における運動、任意の方向において起こり得る運動が、前記第１及び第２部分の間における前記運動の前記方向にかかわらず、前記連結部材によって１の所定の軸に沿った運動に変更されることを特徴とする、請求項５に記載の連結装置（６）。
【請求項７】
スプリング力及び／または減衰力を作り出す前記デバイス（８）が、ハウジング（８ｂ）内に配置された移動可能または弾力性の隔壁（８ａ、８ａ’）であることを特徴とする、請求項５または６に記載の連結装置（６）。
【請求項８】
前記ハウジング（８ｂ）が、周囲から基本的に閉鎖され、圧縮性媒体（MP）を含むことを特徴とする、請求項７に記載の連結装置（６）。
【請求項９】
前記ハウジング（８ｂ）は、周囲から基本的に閉鎖され、非圧縮性媒体（MP）を含むことを特徴とする、請求項７に記載の連結装置（６）。
【請求項１０】
前記隔壁（８ａ、８ａ’）が、減衰力を作り出す前記隔壁（８ａ、８ａ’）において、媒体の漏出を許容するように配置されることを特徴とする、請求項８または９に記載の連結装置（６）。
【請求項１１】
少なくとも１つのばね（８ｃ）が、スプリング力を作り出す前記隔壁（８ａ、８ａ’）に作用するように配置されることを特徴とする、請求項７〜１０のいずれか１項に記載の連結装置（６）。
【請求項１２】
前記ばね（８ｃ）が、線形ばねまたは非線形ばねであることを特徴とする、請求項１１に記載の連結装置（６）。
【請求項１３】
前記ハウジング（８ｂ）が、前記隔壁（８ａ、８ａ’）の移動を制御するノッチ、スロットまたは摩擦増大部材（８ｄ）を含む、請求項７〜１２のいずれか１項に記載の連結装置（６）。
【請求項１４】
前記第１部分（２）が、着用者の頭部のより近くに配置される第１ヘルメット部分であり、前記第２部分（３）が、前記第１ヘルメット部分（２）の半径方向において外側に配置される第２ヘルメット部分である、請求項１〜１３のいずれか１項に記載の連結装置（６）。
【請求項１５】
ヘルメット（１）であって、該ヘルメット（１）が、
着用者の頭部のより近くに配置されるための第１ヘルメット部分（２）；
前記第１ヘルメット部分（２）の半径方向において外側に配置された第２ヘルメット部分（３）；
前記第１ヘルメット部分（２）及び前記第２ヘルメット部分（３）を連結する少なくとも１つの連結装置（６）を含み、
前記少なくとも１つの連結装置（６）が、前記第１ヘルメット部分（２）及び前記第２
ヘルメット部分（３）の間において全方向におけるスライド運動を可能にするように構成され、該少なくとも１つの連結装置（６）が、
前記第１ヘルメット部分（２）及び第２ヘルメット部分（３）の間においてスライド運動中にスプリング力及び／または減衰力を作り出すデバイス（８）を含み、該デバイス（８）が、前記第１ヘルメット部分（２）及び前記第２ヘルメット部分（３）のうちの一方に連結され；かつ、
所定の長さを有する非弾性の細長い連結部材（７）を含み、該連結部材（７）が一端においてスプリング力及び／または減衰力を作り出す前記デバイス（８）に連結され、かつ他端において前記第１ヘルメット部分（２）及び前記第２ヘルメット部分（３）のうちの他方に連結されるように構成され、
ここで、前記の非弾性の細長い連結部材（７）が、スプリング力及び／または減衰力を作り出す前記デバイス（８）と前記第１部分（２）及び前記第２部分（３）のうちの一方とに連結された状態において、曲げることのできるものである、
前記ヘルメット（１）。
【請求項１６】
当該ヘルメット（１）における斜め衝突によって引き起こされた回転力に応答して前記第１及び第２ヘルメット部分（２、３）の間のスライド運動を促進するために、スライド促進器（４）が、前記第１及び前記第２ヘルメット部分（２、３）の間に配置されていることを特徴とする、請求項１５に記載のヘルメット（１）。
【発明の詳細な説明】
【技術分野】
【０００１】
本発明は、概して連結装置に関し、該連結装置が、第１及び第２のスライド可能に配置された部分を連結して、力を吸収し、並びに本発明は、かかる連結装置を含むヘルメットに関する。また、本発明は、第１及び第２のヘルメット部分と、該２つの部分を連結する連結装置とを含むヘルメットに関する。
【背景技術】
【０００２】
接線力成分（tangential force components）を発生させる斜め方向の衝突、例えば、人間と運動物体又は表面との間の衝突におけるエネルギーを吸収する構造を作り出すことは課題である。構造は、例えば、ヘルメット、保護衣または他の力を吸収する構造であり得る。
【０００３】
先行技術では、衝突力を吸収するために互いに対してスライド可能に移動できる少なくとも第１及び第２層あるいは部分を含む多数の解決策が提示されている。適切に機能するために、１または複数の連結装置によって層が連結される。 
【０００４】
１の実施態様では、構造がヘルメットである。ほとんどのヘルメットは、しばしばプラスチックまたは複合材料で作られている硬質な外側シェル、及びエネルギー吸収材の、ライナー（liner）と呼ばれるエネルギー吸収層を含む。今日では、保護ヘルメットは、とりわけ最大加速度に関するいくらかの法的要求を満たすように設計される必要があり、該最大加速度は、既定荷重において頭部の重心で生じ得る。通常、テストが行われ、該テストでは、ヘルメットを装備した模造頭蓋骨（dummy skull）として知られるものが、頭部に対する半径方向の強打を受ける。このことは、頭蓋骨に半径方向の強打を受けた場合において良いエネルギー吸収能力を有する現代のヘルメットをもたらしたが、他の荷重方向のエネルギー吸収は、上記の場合ほど最適でない。
【０００５】
半径方向の衝撃の場合には、頭部は、並進加速をもたらす並進運動において加速されるだろう。並進加速は、頭蓋骨の骨折及び／または脳組織の圧力または擦過損傷をもたらし得る。しかしながら、負傷統計によれば、純粋な半径方向の衝撃はめったにない。
【０００６】
一方、純粋な角加速を頭部にもたらす純粋な接線衝突（pure tangential hit）もめったにない。
【０００７】
衝突の最も良くあるタイプは、同時に頭部に作用する半径方向の力及び接線力の組み合わせである斜め方向の衝突である。斜め方向の衝突は、脳の並進加速及び角加速の両方をもたらす。角加速は、頭蓋骨内において脳を回転させ、脳を頭蓋骨に結び付ける身体的要素に損傷をもたらし、脳自体にも損傷をもたらす。
【０００８】
回転損傷の例は、一方では、硬膜下血腫、ＳＨ、すなわち、血管破裂の結果としての出血であり、他方では、びまん性軸索損傷、ＤＡＩであり、該びまん性軸索損傷は、要するに、脳組織における高せん断変形の結果、過剰に引き延ばされた神経線維ということができる。持続時間、大きさ及び増加率等の回転力の特性に応じて、ＳＨまたはＤＡＩのいずれかが起こり、あるいはこれらの合併症にかかる。一般的に言えば、持続時間が短くかつ衝撃が大きい場合にＳＨが生じるが、長くてより幅広い加速度荷重の場合には、ＤＡＩが生じる。これらの現象が、頭蓋骨及び脳のために良好な保護をもたらすことを可能にするように考慮されることは重要である。
【０００９】
頭部は、生来の保護システムを有し、該保護システムは、頭皮、硬い頭蓋骨、並びに頭蓋骨及び脳の間の脳脊髄液を用いてこれらの力を減衰させるように構成されている。衝撃の間、頭皮及び脳脊髄液は、頭蓋骨のそれぞれ上側及び下側において圧縮及びスライドの両方を行う回転の衝撃吸収材として働く。今日使用されるほとんどのヘルメットは、回転の損傷に対して全く保護をもたらさない。
【００１０】
本出願人の先の出願ＷＯ２０１１１３９２２４Ａ１及びＥＰ１２４６５４８Ｂ１では、回転損傷に対して保護するべく、互いに対してスライド可能に配置された第１及び第２ヘルメット部分を含むヘルメットを開示した。第１ヘルメット部分は、着用者の頭部のより近くに配置され、第２部分が、第１ヘルメット部分の半径方向において外側に配置される。
【００１１】
更に、ＷＯ２０１１１３９２２４Ａ１及びＥＰ１２４６５４８Ｂ１では、第１ヘルメット部分を第２ヘルメット部分と連結させるいくつかの方法を開示した。十分に大きな緊張が外側ヘルメット部に適用された場合に、弾性、半弾性または可塑性の方法で変形させることによってエネルギーを吸収するように連結装置が配置される。
【００１２】
これらの連結装置を用いる場合、第１及び第２部分の間の運動、ひいては力の吸収曲面（force absorption curve）を制御することは困難である。
【発明の概要】
【００１３】
概要
本発明の目的は、特に、例えば、ヘルメット等の力を吸収する構造の分野において互いに対してスライド可能に配置された第１及び第２部分の間における力を吸収する運動を制御する課題に対する解決策を提供する。本解決策は、以下に記載された連結装置及びかかる連結装置を含むヘルメットによって提供される。
【００１４】
本発明は、互いに対してスライド可能に配置された第１及び第２部分を連結するように構成された連結装置に関する。本発明は、かかる連結装置が、第１及び第２部分の間で全ての方向におけるスライド運動を可能にするように構成されることを特徴とする。従って、第１及び第２層あるいは部分は、少なくとも第１及び第２部分の伸張方向に基本的に平行な方向において互いに対して移動可能である。しかしながら、これらが、共通のスライド表面を有する必要はなく、互いに距離をおいて配置され得る。連結装置は、第１部分及び第２部分のうちの少なくとも１つに直接的または間接的に連結された連結部材、並びに第１及び第２部分の間においてスライド運動中にスプリング力及び／または減衰力を作り出す少なくとも１つのデバイスを含み、該デバイスが、前記連結部材と連結され、または前記連結部材と連携するように構成される。従って、第１及び第２部分は、第２部分に対する小さな力によって取り外すことはできないが、連結されている。
【００１５】
スプリング力及び／または減衰力を作り出す１以上の別個のデバイスに作用する連結部材を含む連結装置は、第１または第２部分に作用する力をよりよく吸収することができる。この構成は、互いに対して第１及び第２部分のスライド運動を作り出す第１または第２部分に作用する斜め方向の力から生じる接線力成分の吸収を特に改善する。従って、斜め方向の衝突から生じる少なくとも一部のエネルギーが、連結部材において吸収され得る。更に、第１及び第２部分に作用すると推定された力に対し、スプリング力及び／または減衰力を作り出す少なくとも１つのデバイスの別個の部分の構成を適用することにより、スライド運動を制御することはより容易である。スプリング力及び／または減衰力を作り出すデバイスは、例えば、異なるスプリング定数及び減衰定数を有する線形ばねまたはプログレッシブスプリングあるいは減衰特性を備えるように設計され得る。スプリング力及び／または減衰力を作り出すかかる少なくとも１つのデバイスは、第１または第２部分のいずれか一方に取り付けられ、または組み込まれ得る。半径方向の力が、連結装置の位置においても十分に吸収されるように、エネルギー吸収層、すなわちライナーの侵入（intrusion）を最小限にすることも目的とする。
【００１６】
スライド促進器は、第１または第２部分における斜め衝突によって作り出される力に応答して、第１及び第２部分の間のスライド運動を促進するために、第１及び第２部分の間に配置され得る。
【００１７】
このスライド促進器は、衝突力に応答して第１及び第２部分の間でスライド運動を促進する。しかしながら、スライド促進器を除外することもあり得る。スライド促進器は、第１及び第２部分の間で低摩擦を作り出す材料であり得る。スライド促進器は、第１及び／または第２部分の一方または両方の表面に組み込まれ、または取り付けられた層または材料等の別個の要素であり得、該第１及び／または第２部分が、互いにスライドするように構成される。
【００１８】
連結部材は、スプリング力及び／または減衰力を作り出すデバイスに連結された細長い部材である。連結部材は、例えば、所定の長さを有する非弾性部分であり得る。
【００１９】
細長い部材は、非弾性の所定の長さを有し、第１及び第２部分の間の連結を作り出す。第２部分における斜め衝突から生じ、かつスライド自体または他のエネルギー吸収層によっては吸収されないエネルギーの少なくとも一部は、スプリング力及び／または減衰力を作り出すデバイスにおいてその後吸収される。従って、非弾性の連結部材は、エネルギーを少しも吸収せず；単に力の伝送器の機能を果たす。スプリング力及び／または減衰力を作り出すデバイスにおいて吸収されたエネルギーは、摩擦熱、エネルギー吸収層の変形、またはスプリング力及び／または減衰力を作り出すデバイスの内側部分の変形もしくは変位（displacement）によって吸収され得る。
【００２０】
連結装置の第１の実施態様では、かかる連結部材は、スプリング力及び／または減衰力を作り出すデバイスに一端において連結され、かつ、第１または第２部分のうちのいずれか一方に他端において連結された曲げることのできる細長い部材である。連結装置の第１の実施態様は、第１及び第２部分の間の運動の方向にかかわらず、第１及び第２部分の間の運動、すなわち、任意の方向において起こり得る運動を、１の軸に沿った運動に変化させる。このことは、連結部材の曲がりやすさ（bendability）に起因する可能性がある。このことにより、制御された方法でエネルギーを吸収することが可能になる。
【００２１】
連結部材は、ひも（cord）、ロープ、糸（line）、ワイヤーまたは同様の細長い曲げることのできる部材であり得る。好ましくは、曲げることのできる細長い部材は、非弾力性であり、所定の長さである。
【００２２】
好ましくは第２の実施態様による連結装置に連結された、スプリング力及び／または減衰力を作り出すデバイスの別の実施態様では、スプリング力及び／または減衰力を作り出すかかるデバイスが、移動可能であり、またはハウジング内に配置された非弾性の隔壁である。
【００２３】
隔壁は、第２の実施態様による少なくとも１つの連結装置を介して第１及び第２部分のいずれか一つまたは両方に連結される。隔壁は、ハウジング内に移動可能に配置されたピストン、弾性膜、あるいは連結部材を介して外部の力を受けた場合に移動可能な同様の物体であり得る。移動可能な壁は、ハウジングにおいて第１及び第２のチャンバを作り出す。
【００２４】
好ましくは第２の実施態様による連結装置に連結された、スプリング力及び／または減衰力を作り出すデバイスの別の実施態様では、かかるハウジングが周囲から基本的に閉鎖され、該ハウジングが圧縮性媒体を含む。
【００２５】
ガス等の圧縮性媒体が、ハウジング内に配置される場合、ピストンの運動が、媒体の圧縮を引き起こし、それゆえに外部の力と逆の追加的な力が作りだされる。この追加的な力は、ハウジングにおいて隔壁の運動を減衰させる力であり、それゆえに第１及び第２部分の間における相対的な運動も減衰させる。
【００２６】
好ましくは第２の実施態様による連結装置に連結された、スプリング力及び／または減衰力を作り出すデバイスの別の実施態様では、かかるハウジングが、周囲から基本的に閉鎖され、該ハウジングが非圧縮性媒体を含む。
【００２７】
例えば流体等の非圧縮性媒体がハウジング内で使用される場合、媒体が壁のそれぞれの側のチャンバの間に流れ得るように、これらのチャンバが連絡される必要がある。チャネルの外側のうちのいずれかが、チャンバの間に配置され、または別の実施態様では、例えば、穴または他の開口部を用いることにより、媒体の漏出を許容するように隔壁自体が配置される。チャンバ間の媒体の運動が、減衰力を作り出す。減衰力は、連絡する通路の流量範囲（flow area）に依存する。
【００２８】
好ましくは第２の実施態様による連結装置に連結された、スプリング力及び／または減衰力を作り出すデバイスの別の実施態様では、少なくとも１のばねが、スプリング力を作り出すかかる隔壁に作用するように配置される。かかるばねは、いかなる種類の線形ばね、非線形ばねまたはプログレッシブスプリングであってもよい。
【００２９】
ばねは、隔壁と、ハウジングの端または他の支持構造との間において付勢され得る。隔壁の反対側に作用する２つのばねを使用することも可能であり得る。
【００３０】
好ましくは第１の実施態様による連結装置に連結されるが、第２の実施態様にも関連し得る、スプリング力及び／または減衰力を作り出すデバイスの別の実施態様では、かかるハウジングが、ノッチ（notch）、スロットまたは摩擦増大部材を含み、該ノッチ、スロットまたは摩擦増大部材が、隔壁の運動を制御する。
【００３１】
ノッチが、隔壁及びハウジングの間の摩擦を増加させる部材であり得る。これらは、隔壁の運動を開始させるために必要な初期力の増加を作り出すためにも使用され得る。らせん状の糸（spiral thread）と同様にパタパタという音を立てること（patter）においてハウジングの内壁にノッチまたはスロットを配置することも可能である。このことは、ハウジングにおいて壁の回転運動を作り出し、該ハウジングが、エネルギーを吸収することができる。
【００３２】
連結装置の第２の実施態様では、かかる少なくとも１の連結部材が、細長い硬質のピンであり、該ピンが、その第１端もしくは第２端において第１または第２部分に連結され、並びに、その第１端及び第２端において、またはその第１端及び第２端の間においてスプリング力及び／または減衰力を作り出すデバイスに連結される。 
【００３３】
好ましくは第２の実施態様による連結装置に連結されるが、第１の実施態様にも関連し得る、スプリング力及び／または減衰力を作り出すデバイスの１の実施態様では、スプリング力及び／または減衰力を作り出す少なくとも１のデバイスは、ねじりばね、板ばねまたはらせんばねであり、該ねじりばね、板ばねまたはらせんばねが、連結部材と第１または第２部分のうちのいずれか一つとに連結され、またはこれらに作用する。第１及び第２部分の間の運動を開始するために必要な初期力の増加を引き起こすべく、突出等を配置することも可能である。
【００３４】
スプリング力及び／または減衰力を作り出す少なくとも１つのデバイスは、連結部材を取り巻き（encircle）、または連結部材から基本的に半径方向に突出するように配置され得る。
【００３５】
１の実施態様では、かかる第１部分が、着用者の頭部のより近くに配置される第１ヘルメット部分であり、かかる第２部分が、第１ヘルメット部分の半径方向において外側に配置された第２ヘルメット部分である。
【００３６】
別の態様は、ヘルメットに関し、該ヘルメットは、着用者の頭部のより近くに配置される第１ヘルメット部分、及び第１ヘルメット部分の半径方向において外側に配置された第２ヘルメット部分を含む。ヘルメットは、かかる少なくとも１つの連結装置が、全ての方向における第１及び第２ヘルメット部分の間のスライド運動を可能にするように構成され、第１ヘルメット部分及び第２ヘルメット部分のうちの少なくとも１つに直接的または間接的に連結された連結部材と、第１及び第２ヘルメット部分の間においてスライド運動中にスプリング力及び／または減衰力を作り出すデバイスとを含み、該デバイスが、かかる連結部材と連結され、またはかかる連結部材と連携するように構成されたことを特徴とする。
【００３７】
かかるヘルメットの１の実施態様では、スプリング力及び／または減衰力を作り出すかかるデバイスが、第１または第２ヘルメット部分のいずれか１つに取り付けられる。
【００３８】
かかるヘルメットの別の実施態様では、ヘルメットが、スライド促進器を更に含み、該スライド促進器が、ヘルメットに対する斜め衝突によって引き起こされる回転力に応答して第１及び第２ヘルメット部分の間におけるスライド運動を可能にするべく、第１及び第２ヘルメット部分の間に配置され、かつ該ヘルメットが、第１及び第２ヘルメット部分を連結させる少なくとも１つの連結装置を更に含む。
【００３９】
任意の実施態様または実施態様の一部、並びに任意の方法または方法の一部が、何らかの形で組み合わされ得ることは留意すべきである。
図面の簡単な説明
例として添付の図面を参照して本発明をこれから説明する
【図面の簡単な説明】
【００４０】
【図１】図１は、連結装置によって連結された第１及び第２部分を含むエネルギー吸収構造を示す。
【図２ａ】図２ａは、斜め方向の外部の力の影響下における第１タイプのヘルメットの形態においてエネルギー吸収構造を示す。
【図２ｂ】図２ｂは、斜め方向の外部の力の影響下における第１タイプのヘルメットの形態においてエネルギー吸収構造を示す。
【図３ａ】図３ａは、連結装置の第１の実施態様を示し、該連結装置は、第２タイプのヘルメットに取り付けられたスプリング力及び／または減衰力を作り出すためのデバイスの第１の実施態様を含む。
【図３ｂ】図３ｂは、連結装置の第１の実施態様の詳細図を示し、該連結装置は、スプリング力及び／または減衰力を作り出すためのデバイスの第１の実施態様を含む。
【図３ｃ】図３ｃは、連結装置の第１の実施態様の詳細図を示し、該連結装置は、スプリング力及び／または減衰力を作り出すためのデバイスの第２の実施態様を含む。
【図３ｄ】図３ｄは、連結装置の第１の実施態様の詳細図を示し、該連結装置は、スプリング力及び／または減衰力を作り出すためのデバイスの第３の実施態様を含む。
【図３ｅ】図３ｅは、連結装置の第１の実施態様の詳細図を示し、該連結装置は、スプリング力及び／または減衰力を作り出すためのデバイスの第４の実施態様を含む。
【図３ｆ】図３ｆは、連結装置の第１の実施態様の詳細図を示し、該連結装置は、スプリング力及び／または減衰力を作り出すためのデバイスの第５の実施態様を含む。
【図３ｇ】図３ｇは、連結装置の第１の実施態様の詳細図を示し、該連結装置は、スプリング力及び／または減衰力を作り出すためのデバイスの第６の実施態様を含む。
【図３ｈ】図３ｈは、連結装置の第１の実施態様の詳細図を示し、該連結装置は、スプリング力及び／または減衰力を作り出すためのデバイスの第７の実施態様を含む。
【図３ｉ】図３ｉは、連結装置の第１の実施態様の詳細図を示し、該連結装置は、スプリング力及び／または減衰力を作り出すためのデバイスの第８の実施態様を含む。
【図３ｊ】図３ｊは、連結装置の第１の実施態様の詳細図を示し、該連結装置は、スプリング力及び／または減衰力を作り出すためのデバイスの第９の実施態様を含む。
【図３ｋ】図３ｋは、連結装置の第１の実施態様の詳細図を示し、該連結装置は、スプリング力及び／または減衰力を作り出すためのデバイスの第１０の実施態様を含む。
【図４】図４は、連結装置の第１の実施態様を示し、該連結装置は、第３タイプのヘルメットに取り付けられた、スプリング力及び／または減衰力を作り出すためのデバイスの第１の実施態様を含む。本図は、全てのヘルメットタイプにおいて使用可能な異なるタイプのスライド促進器も示す。
【図５ａ】図５ａは、連結装置の第２の実施態様を示し、該連結装置は、第１タイプのヘルメットに取り付けられた、スプリング力及び／または減衰力を作り出すためのデバイスの第１１の実施態様を含む。
【図５ｂ】図５ｂは、連結装置の第２の実施態様の詳細図を示し、該連結装置は、スプリング力及び／または減衰力を作り出すためのデバイスの第１１の実施態様を含む。
【図５ｃ】図５ｃは、連結装置の第２の実施態様の詳細図を示し、該連結装置は、スプリング力及び／または減衰力を作り出すためのデバイスの第１２の実施態様を含む。
【図６ａ】図６ａは、エネルギー吸収構造の側面図を示し、該エネルギー吸収構造は、連結装置の第２の実施態様を含み、該連結装置は、スプリング力及び／または減衰力を作り出すためのデバイスの第１３の実施態様を含む。
【図６ｂ】図６ｂは、図６ａによるばね及び／または減衰を作り出すためのデバイスの第１３の実施態様の上面図を示す。
【発明を実施するための形態】
【００４１】
実施の形態の説明
以下では、異なる実施態様の詳細な説明を提示する。図面は、単に図示のためのものであり、多少なりとも範囲を制限するものではないことが認められるだろう。
【００４２】
互いにスライド可能に配置される第１及び第２部分は、例えば、ヘルメット、保護衣または車室等のエネルギー吸収構造の構成要素である。少なくとも１つの連結装置は、第１及び第２部分を連結するように構成される。連結装置は、少なくとも１つの連結部材と、スプリング力及び／または減衰力を作り出す少なくとも１つのデバイスとを含む。
【００４３】
少なくとも１つの連結部材は、第１または第２部分に直接的または間接的に連結され、全ての方向において第１及び第２部分の間のスライド運動を可能にするように構成される。全ての方向における運動は、連結点または複数の連結点からの全ての方向におけるスライド運動を意味する。連結部材は、スプリング力及び／または減衰力を作り出す少なくとも１つのデバイスにも連結され、または該デバイスと連携する。スプリング力及び／または減衰力を作り出す少なくとも１つのデバイスは、第１部分または第２部分のうちのいずれかに取り付けられる。スプリング力及び／または減衰力を作り出すデバイスを両方の部分において、連結部分としての連結部材とともに配置することも可能である。
【００４４】
図１の実施態様では、エネルギー吸収構造を示す。この構造は、第１及び第２部分２，３を含み、該第１及び第２部分２，３は、斜め衝突力Ｆを吸収するべく、互いに対してスライド可能に移動できる。この部分２，３は、少なくとも１つの連結装置６によって連結され、該少なくとも１つの連結装置６は、少なくとも１つの連結部材７、並びにスプリング力及び／または減衰力を作り出す少なくとも１つのデバイス８を含む。第１部分２及び第２部分３の間には、スライドが生じる。
【００４５】
スライド運動は、スライド促進器４によって促進され得る。このスライド促進器４は、力Ｆに応答して、第１及び第２部分の間のスライド運動を促進する。しかしながら、スライド促進器４を除外することも考えられる。
【００４６】
スライド促進器は、第１及び第２部分２，３の間の低摩擦を作り出す部材であり得る。スライド促進器４は、第１または第２部分２，３の表面の両方またはいずれか１つに組み込まれ、あるいは取り付けられた層または材料等の別個の要素であり得、該第１または第２部分２，３は、互いにスライドするように構成される。使用されるスライド促進器のタイプに応じて、第１及び第２部分２，３の間、第１部分２に対向する第２部分３の表面上、第２部分３に対向する第１部分２の表面上、または互いに対向する両方の表面に配置され得る。スライド促進器４は、摩擦の低い係数を有する材料であり、または低摩擦材料で表面を覆われ得る：考えられる材料の例は、ＰＴＦＥ、ＡＢＳ、ＰＶＣ、ＰＣ、ＨＤＰＥ、ナイロン、織物材料（fabric materials）である。材料の構造により、例えば、繊維が互いにスライドするような繊維構造、またはスライドを促進する異なるタイプの微細構造、あるいはせん断することができる構造を有する材料により、スライドを促進することも更に考えられる。例えば、図４において視覚化されたスライド促進器４を参照。低摩擦構造は、ＰＴＦＥ、ＰＦＡ、ＦＥＰ、ＰＥ、ＵＨＭＷＰＥ、オイル、テフロングリス（grease Teflon）等のワキシーポリマー（waxy polymer）または潤滑油を注入し得る粉末材料であり得る。第１ヘルメット部分２が、スライド促進器４として機能するべく、十分に低い摩擦係数の表面を有する半硬質ポリマー材料で構成されることも考えられる。この目的のために使用される材料の例は、ＡＢＳ、ＰＣ、ＨＤＰＥである。
【００４７】
図１に示されるエネルギー吸収構造は、保護デバイス及び／または保護衣であり、あるいは陸上、水中または空中を移動するクラフト（craft）の内側の一部、複数の部分、または全体を覆う第１及び第２層の間に使用され得る。
【００４８】
図２ａ、２ｂ、３ａ、４、及び５ａに示す実施態様では、エネルギー吸収構造がヘルメット１である。
【００４９】
ヘルメット１は、着用者の頭部の最も近くに配置されるための第１ヘルメット部分２、及び第１ヘルメット部分２の半径方向において外側に配置された第２ヘルメット部分３を含む。第１ヘルメット部分２及び第２ヘルメット部分３の間には、ヘルメットにおける斜め衝突Ｆによって引き起こされた接線力に応答して、スライドが起こる。ヘルメットの適用において、かかる接線力は、その後、部分２及び３の間における相対運動をもたらすだろう。第１ヘルメット部分２及び第２ヘルメット部分３の間の相対運動の長さは、０‐１００ｍｍの間隔の距離であり、通常、０‐５０ｍｍの間隔の範囲内であり、ほとんどの場合、１‐２０ｍｍの間隔の範囲内である。連結装置６は、衝突エネルギー及び力を吸収するため、少なくとも１つの連結部材７、及びスプリング力８及び／または減衰力を作り出すための少なくとも１つのデバイスを含む。結果として生じて部分２及び３の間に作用するスプリング力及び減衰力は、１‐１０００Ｎの間隔であり、通常、１‐５００Ｎの間隔であり、ほとんどの場合、１‐５０Ｎの間隔であろう。相対運動の速さは、１‐１００ｍ／ｓにおいて変化し得る。連結部材７は、スプリング力及び／または減衰力を作り出す少なくとも１つのデバイス８、それゆえに衝突エネルギー及び力を吸収することができるデバイスに連結された細長い部材であり得る。吸収される必要がある衝突エネルギーは、衝突の力と、第１及び第２ヘルメット部分２，３間に起こり得る相対運動とによって決まる。エネルギーは、少なくとも１つの連結部材７の変位（displacement）、並びにスプリング力及び／または減衰力を作り出すデバイス８の変形または移動によって吸収される。連結部材７は、所定の長さを有する非弾性部材であり得る。非弾性部材の定義は、運動エネルギーが変形によって保存されない部材であると理解すべきである。スライド運動は、上述の様に、スライド促進器４によって促進され得る。図３ａを参照。このスライド促進器４は、第１及び第２ヘルメット部分の間のスライド運動を促進する。しかしながら、図２ａ及び２ｂに示すように、スライド促進器４を除外することも考えられる。 
【００５０】
第１または第２ヘルメット部分２，３、あるいは両方が、主に半径方向の力を吸収するエネルギー吸収層５を含み得る。例えば、図３ａ及び４を参照。しかしながら、いくつかのエネルギー吸収部材は、いくつかの接線力も吸収し得る。衝突の間；エネルギー吸収層は、エネルギー吸収層５を変形させることにより、衝撃吸収材の機能を果たす。
【００５１】
連結装置６の位置においても半径方向の力を吸収することを可能とするために、これらの位置におけるエネルギー吸収部材５の層の減少を最小限にすることが好ましい。少なくとも５０％のエネルギー吸収層が、これらの位置に残る必要があり、好ましくは７５％が残る必要がある。
【００５２】
第１ヘルメット部分２は、着用者の頭部にヘルメットを取り付けるための取り付け手段９も含み得る。図３ａを参照。代わりに第２ヘルメット部分３に取り付け手段を配置することも考えられる。第１ヘルメット部分２に快適な詰め物を配置することもでき、該第１ヘルメット部分２が、着用者の頭部に接触するように構成される。更に、外側硬質シェル１０が、例えば、図２ａに示すヘルメットタイプにおいて第２ヘルメット部分３の半径方向において外側に配置され得る。外側シェルを除外することも考えられる。
【００５３】
図２ａ及び２ｂでは、斜め衝突力Ｆが生じている間の第１及び第２部分２，３のスライド及び相対運動を示す。衝突中、エネルギー吸収層は、エネルギー吸収層５を変形させることによって衝突吸収材の機能を果たし、外側シェル１０が使用される場合、シェルの全てにわたって衝突エネルギーを広げるだろう。例えば、図３ａ参照。斜め衝突中に、スライドが、第１及び第２ヘルメット部分２，３の間に起こり、そうでなければ脳に伝達される回転エネルギーを吸収する仕方を制御することを可能にする。回転エネルギーは、少なくとも１つの連結部材７の変位、並びにスプリング力及び／または減衰力を作り出す少なくとも１つのデバイス８の変形または移動によって主に吸収される。吸収された回転エネルギーは、脳に作用する角加速度の量を減少させ、それゆえに頭蓋骨内の脳の回転を減少させるだろう。その結果、脳震とう、硬膜下血腫及びＤＡＩ等の回転損傷のリスクが減少する。
【００５４】
ヘルメットの第１のタイプは、図２ａ、２ｂ及び５ａに開示される。本実施態様によれば、第２ヘルメット部分３が、半径方向の力を吸収するように構成され、それゆえエネルギー吸収層５を含み得る。エネルギー吸収層は、例えば、ＥＰＳ（発泡ポリスチレン）、ＥＰＰ（発泡ポリプロピレン）、ＥＰＵ（発泡ポリウレタン）、ＰＵ（ポリウレタン）等のポリマー発泡材料または他の構造、並びに、ハニカム様材料、ゴムまたは段ボール紙または他の波形の材料で完全に作られ、または部分的にこれらの材料を含み得る。ハニカム、ゴム及び波形材料は、半径方向の力及び接線力の両方を吸収する可能性を有する材料の例である。半径方向の力は、材料を圧縮することによって吸収され、接線力は、材料の内側構造をせん断（shearing）することによって吸収され得る。複数の部分間のスライドは、エネルギー吸収層５の内側で主に起こり、それゆえ第１ヘルメット部分２と、第２ヘルメット部分３のエネルギー吸収層５との間において起こる。上述されたスライド促進器４は、スライドを促進するための位置にも提供され得る。しかしながら、スライド促進器４を除外することも考えられる。
【００５５】
第１ヘルメット部分２は、例えば、ＰＶＣ、ＰＣ、ナイロン、ＰＥＴ等の弾性または半弾性材料で作られ得る。第１ヘルメット部分２は、一体化したスライド促進器の機能を果たし得る。第１ヘルメット部分２は、着用者の頭部にヘルメットを取り付けるための取り付け手段９、例えば、顎ひもあるいは、頭部バンドまたはキャップ等の頭部を取り巻くデバイス（head encircling device）も含み得る。取り付け手段９は、頭部の上部への取り付けのサイズ及び度合い（grade）の調整のための締め付け手段（図示せず）を更に有し得る。取り付け手段は、ＰＣ、ＡＢＳ、ＰＶＣまたはＰＴＦＥ等の弾性または半弾性のポリマー材料、あるいは綿布等の天然繊維材料から作られ得る。更に、外側硬質シェル１０は、第２ヘルメット部分３の半径方向において外側に配置され得る。シェルは、ポリカーボネート、ＡＢＳ、ＰＶＣ、ガラス繊維、アラミド、トワロン、炭素繊維またはケブラー等のポリマー材料から作られ得る。外側シェルを除外することも考えられる。少なくとも１つの連結装置６（本実施態様では、２つの連結装置６が示されるが、２個よりも多くが好ましくは使用される）のスプリング力及び／または減衰力を作り出す少なくとも１つのデバイス８が、第１位置に取り付けられ、該第１位置が、第１及び第２部分２，３の間において、第２部分２の近くであり、または第２部分の内側に組み込まれる。このタイプのヘルメットが、例えば、自転車、ホッケー（hockey）または乗馬ヘルメットであり、好ましくはインモールドヘルメットであり得る。
【００５６】
第２のタイプのヘルメットが、図３ａに開示される。ここでは、第１ヘルメット部分２が、半径方向の力を吸収するように構成され、そのため、エネルギー吸収層５を含み、該エネルギー吸収層５が、上述された通りの同じ材料から作られ得る。第２ヘルメット部分３は、第１ヘルメット部分２の半径方向において外側に配置され、例えば、ＰＶＣ、ＰＣ、ナイロン、ＰＥＴ等の弾性または半弾性材料から作られ得る。第２ヘルメット部分３は、本実施の態様において硬質シェル１０の機能も果たし得、そのとき、例えば、ＡＢＳ、ガラス繊維、アラミド、トワロン、炭素繊維またはケブラー等のポリマー材料で作られ得る。部分２，３間のスライドは、エネルギー吸収層５の外側、それゆえ第２ヘルメット部分３及びエネルギー吸収層５の間で起こる。スライド促進器４は、スライドを促進するための位置にも提供され得る。連結装置６のスプリング力及び／または減衰力を作り出す少なくとも１つのデバイス８が、第２位置に取り付けられ、該第２位置は、第１及び第２部分２，３の間において、第１部分２の近くであり、または第１部分２の外側に組み込まれる。スプリング力及び／または減衰力を作り出す少なくとも１つのデバイス８が、例えば、エネルギー吸収層５に取り付けられ、または該エネルギー吸収層５に組み込まれる。このタイプのヘルメットは、例えば、モーターサイクルヘルメットであり得る。
【００５７】
第２のヘルメットタイプが図３ａに開示されたように、同様の構成を有する第３タイプのヘルメットが、図４に示される。第２ヘルメットタイプと同様に、第１ヘルメット部分２は、エネルギー吸収層５を含み、スライドは、エネルギー吸収層５の外側、それゆえ、第２部分３及びエネルギー吸収層５の間で起こる。スライド促進器４は、本実施の態様において第１及び第２部分２，３の両方に取り付けられた構造であり、斜め方向の力が第１部分３に全く作用しない場合に、せん断することを可能にする構造を有する。このタイプのスライド促進器は、いうまでもなく、全てのタイプのヘルメットにおいて使用可能である。上述された任意の種類のスライド促進器を使用することも可能である。しかしながら、少なくとも１つの連結装置６（本実施態様では、２つの連結装置６が示されるが、２つより多くが好ましくは使用される）のスプリング力及び／または減衰力を作り出す少なくとも１つのデバイス８が、第２部分３の外側の第３位置に取り付けられ、連結部材７が、第２部分３における開口部を通る。スプリング力及び／または減衰力を作り出す少なくとも１つのデバイス８が、第２ヘルメット部分３の外側において別個のハウジング１２に配置され得る。このタイプのヘルメットは、例えば、フットボールヘルメットであり得る。
【００５８】
これから図３ａ‐３ｊに再度戻ると、連結部材７の第１の実施態様が示される。ここでは、連結部材７が、細長い曲げることができる非弾性部材であり、該非弾性部材が、その第１端７ａにおいてスプリング力及び／または減衰力を作り出すデバイス８に連結され、かつ他端７ｂにおいて第２ヘルメット部分３に連結される。連結部材７は、ひも、ロープ、糸、ワイヤーまたは同様の細長い曲げることができる部材であり得る。スプリング力及び／または減衰力を作り出すデバイス８が、第１ヘルメット部分２のエネルギー吸収層に連結され、取り付けられ、定着され（fixated）、または該エネルギー吸収層に成形される。いうまでもなく、連結部材７を第１ヘルメット部分２に連結し、かつスプリング力及び／または減衰力を作り出すデバイス８を第２ヘルメット部分３に連結することも可能である。第２端７ｂは、エネルギー吸収層を含むヘルメット部分に取り付けられ、ひいては固定手段を使用し得、該固定手段が、インモールドで作製され、穴を通してプレスされ（be in-moulded）、反対側等で膨張する。第２端７ｂがヘルメット部分のシェルタイプに取り付けられるべきであれば、細長い曲げることのできる部材のループによって取り付けられ、穴に糸を通され（be threaded through a hole）、反対側等にワイヤロックを有する。
【００５９】
スプリング力及び／または減衰力を作り出すデバイス８は、図３ａ、３ｂ、３ｄ‐３ｉにおいて、ハウジング８ｂ内に配置された移動可能な隔壁８ａである。少なくとも１つの連結部材７が、一端７ａにおいて隔壁８ａに連結され、一端７ｂにおいて第１または第２ヘルメット部分２，３のいずれか１つに連結され、あるいは連結されるように構成される。スプリング力及び／または減衰力を作り出すデバイス８は、他のヘルメット部分３，２に連結され、取り付けられ、定着され、または他のヘルメット部分３，２に成形されるように構成される。ハウジング８ｂは、基本的に周囲から閉鎖され、圧縮性または非圧縮性の媒体Ｍを圧力Ｐで含み得る。非圧縮性媒体が使用された場合、隔壁８ａは、例えば、壁８ａに穴を配置することにより、または壁８ａの端及びハウジング８ｂの間にギャップを有することにより、減衰力を作り出すべく、隔壁において媒体の漏出を許容するように配置される。隔壁がその当初の位置に戻るべく、少なくとも１つのばね８ｃが、スプリング力を作り出すためにかかる隔壁８ａに作用するように配置され得る。かかるばね８ｃは、任意の種類の線形ばね、非線形ばねまたはプログレッシブスプリングであり得る。
【００６０】
図３ａでは、少なくとも２つだが、好ましくは３つまたは４つの、連結装置６が第１ヘルメット部分２及び第２ヘルメット部分３の間における相対運動を制御するために使用される。連結装置６は、例えば、ヘルメットの上部近くに互いに隣接して取り付けられ、または互いに距離をおいて取り付けられ得る。単独で作用する連結部材では、一方向のみにおいて力が吸収され、該連結部材が使用される場合、図３ｂ‐ｆ、３ｈ、３ｉに開示されるように、２つの向かい合った連結部材が好ましくは互いに直線に取り付けられる。各連結装置６は、細長い曲げることのできる非弾性部材の形態における連結部材７と、ハウジング８ｂの形態におけるスプリング力及び／または減衰力を作り出すデバイス８とを含み、該ハウジング８ｂは、移動可能な隔壁８ａを含む。連結部材７が、第２ヘルメット部分３に連結され、スプリング力及び／または減衰力を作り出すデバイス８が、第１部分２のエネルギー吸収層５に成形される。斜め衝突力が第２ヘルメット部分３に作用し、第１ヘルメット部分２に関してこれを移動させる場合、たとえハウジング８ｂの軸と同じ方向ではなくても、折り曲げることのできる部材７が第２部分３の移動に続き、ハウジング８ｂ内において壁８ａを移動させるだろう。従って、壁８ａは、非圧縮性もしくは圧縮性媒体、ならびに／あるいは、スプリング力及び／または減衰力を作り出すスプリング８ｃを押し付け、該スプリング力及び／または減衰力は、斜め衝突力と基本的に逆である。図２ａ及び２ｂでは、折り曲げることのできる部材７は、第１部分２に連結され、スプリング力及び／または減衰力を作り出すデバイス８は、第２部分３に連結されるが、この運動は、図２ａ及び２ｂにおいて可視化される。
【００６１】
第１の実施態様のスプリング力及び／または減衰力を作り出すデバイス８は、図３ｂ‐３ｊに示すように、異なるデザインを有し得る。
【００６２】
図３ｃでは、スプリング力及び／または減衰力を作り出すデバイス８は、弾性の隔壁８ａ’、例えば、弾性材料で作られた膜であり、該隔壁８ａ’が、ハウジング８ｂの壁に取り付けられる。少なくとも１つの連結部材７は、一端７ａにおいて隔壁８ａ’に連結され、他端７ｂにおいて第１または第２ヘルメット部分２，３のうちのいずれか一方に連結されるように構成される。スプリング力及び／または減衰力を作り出すデバイス８は、他のヘルメット部分３，２に連結され、取り付けられ、定着され、または他のヘルメット部分３，２に成形されるように構成される。ハウジング８ｂは、周囲から基本的に閉鎖され、ガスまたは液体等の圧縮性または非圧縮性の媒体Ｍを含む。壁８ａ’が突き出る（bulges）場合に、媒体Ｍにおける圧力Ｐ１，Ｐ２が変化する。非圧縮性媒体が使用される場合、隔壁８ａ’が、減衰力を作り出すべく、隔壁において媒体の漏出を許容するように配置される。
【００６３】
図３ｄでは、分かれていないばねが使用される。代わりに、隔壁８ａが、発泡体、スポンジ、液体またはガス等の圧縮性部材Ｍに作用する。
【００６４】
図３ｅでは、減衰力が、ハウジングの端に向けてハウジング８ｂの直径を狭めることによって作り出され、結合部材７がハウジング８ｂの中を通る。ハウジングは、好ましくはいくつかの種類の減衰媒体で満たされる。ハウジング８ｂの大直径Ｄ１の部分における隔壁８ａのニュートラル端位置（neutral end position）では、力は全く壁に作用せず、隔壁８ａが該ニュートラル端位置からより小さな直径Ｄ２を有するハウジングの端へ動かされる場合、壁及びハウジングの端の間において減衰媒体のための通路が減少する。従って、減衰力の増大が引き起こされる。スプリング力を作り出すために、バネもハウジングに差し込まれ得る。
【００６５】
図３ｆでは、減衰力が、ハウジングの端へ向けて、ハウジング８ｂの直径Ｄ１，Ｄ２を狭めることによっても作りだされ、結合部材７が、ハウジング８ｂの中を通る。しかしながら、本実施の態様では、圧縮性材料で作られた隔壁８ａを用いること、あるいは、隔壁８ａがハウジングの狭まっている部分へ向けて動かされる場合に変形可能な弾性ハウジングを使用することのいずれかにより、減衰力の増大が引き起こされる。スプリング力を作り出すために、ばねもハウジングに差し込まれ得る。
【００６６】
図３ｇでは、２つの連結部材７’，７’’が、一端７ａ’，７ａ’’において隔壁８ａに連結され、該隔壁８ａが、ハウジング８ｂのそれぞれの端の中を通る。連結部材７’，７’’が、これらの他端７ｂ’、７ｂ’’において第１及び第２部分２、３にそれぞれ連結されるように構成される。隔壁８ａは、そのニュートラル位置を有し、力がこれに全く作用しない場合には、基本的にハウジング８ｂの中央にある。ばね８ｃ’、８ｃ’’及び／または減衰媒体Ｍ’、Ｍ’’は、壁８ａの反対側に配置され、壁８ａが、両方向に移動する場合に、スプリング力及び／または減衰力を作り出す。
【００６７】
図３ｈ及び３ｉでは、ハウジングが、隔壁の移動を制御するノッチ、スロットまたは摩擦増大部材８ｄを含む。図３ｈでは、ノッチ８ｄが、初期の移動止め具（initial movement stop）として使用される。壁がノッチ８ｄ上で動き得る前に、連結部材７を引き込み(pulling in)、ひいては隔壁８ａを移動させる力が、あるレベルを超える必要がある。図３ｉでは、いくつかのノッチが、ハウジングに配置されて隔壁の移動を制御する。ノッチ８ｄは、隔壁８ａ及びハウジング８ｂの間において摩擦を増大させる部材でもあり得る。糸と同様にパタパタという音をたてること（patter）においてハウジング８ｂの内壁にノッチまたはスロット８ｄを配置することも可能である。これらのらせん形状のノッチまたはスロット８ｄは、ハウジングにおいて壁８ａの回転運動を作り出すように、ハウジングにおいて隔壁８ａを導く。例えば、所定の初期力において壊れる崩壊ピン（breaking pins）を配置することも可能である、初期力は、好ましくは５‐５００Ｎの範囲である。
【００６８】
図３ｊでは、連結部材７は、スプリング力及び／または減衰力を作り出すデバイス８として作用する弾性または圧縮性の細長い物体が巻かれている。この物体は、例えば、小型化されたボート係留スナバ（boat mooring snubber）と同様のゴムのシリンダ、または任意の他のタイプのゴムまたは細長い気泡物体である。
【００６９】
図３ｋは、図３ｇによる配置と同様の二重に作用する連結装置（dual acting connection arrangement）を開示する。２つの連結部材７’、７’’は、一端７ａ’、７ａ’’において基本的に平坦なねじりばね８ｃ’、８ｃ’’の第１端に連結され、これらの他端７ｂ’、７ｂ’’において第１及び第２部分２，３にそれぞれ連結されるように構成される。ねじりばね８’、８’が、シリンダ形状又は基本的にカップ状のハウジング８ｂに配置され、該ハウジング８ｂが、中心に配置された突出ピン８ｂ’を含み、平坦なねじりばね８ｃ’，８ｃ’’の第２端が該突出ピン８ｂ’に取り付けられ、かつ、ばねが該突出ピン８ｂ’の周りを囲む。第１及び第２部分２，３の間における運動が起こる場合、各ねじりばね８ｃ’，８ｃ’’が各連結部材７，７’’によって引っ張られ、それゆえ、スプリング力及び／または減衰力を作り出す。
【００７０】
図５ａ‐５ｃ及び図６ａ及び６ｂでは、連結部材７の第２の実施態様を示す。連結部材は、細長い硬質部材であり、該硬質部材が、ピン形状を有し、第１端７ａにおいて第１ヘルメット部分２に連結される。連結部材は、例えば、硬質なプラスチックまたは金属で作られ得る。その第２端７ｂにおいて、またはその第１端及び第２端７ａ、７ｂの間において、連結部材が、スプリング力及び／または減衰力を作り出すデバイス８に連結される。スプリング力及び／または減衰力を作り出すデバイス８は、第２ヘルメット部分に連結され、取り付けられ、定着され、接着され、押し付けられ、または第２ヘルメット部分に成形される。連結部材７、並びにスプリング力及び／または減衰力を作り出すデバイス８は、例えば、エネルギー吸収層の部材から入り込み、またはエネルギー吸収層の部材の中を通る機械的定着要素によって、第１または第２部分にも定着され得る。機械的定着要素は、ベルクロ（Velcro）、縫い針、クリスマスツリー、ねじ、マグネットまたは他の要素の一部であり得る。スプリング力及び／または減衰力を作り出すデバイス８の本実施態様を使用する場合、第１及び第２部分を連結し、かつ、部分２，３間の運動を制御するために、１の連結装置６のみが必要である。
【００７１】
いうまでもなく、連結部材７を第２ヘルメット部分３に連結し、スプリング力及び／または減衰力を作り出すデバイス８を第１ヘルメット部分２に連結することも可能である。斜め衝突力が第２ヘルメット部分３に作用する場合、ピン７がスプリング力及び／または減衰力を作り出すデバイス８と相互作用し、デバイス８を変形させ、それゆえ斜め衝突力と基本的に逆の力を作り出す。
【００７２】
図５ｂでは、スプリング力及び／または減衰力を作り出すデバイス８は、平坦ならせんねじりばね８であり、該らせんねじりばね８が、連結部材７を取り巻く。例えば、斜め衝突からの力が、第２部分に作用する場合、第１部分に関するそのスライド運動が引き起こされる。ピン７が第１部分に取り付けられるため、ピン７に基本的に平行な任意の方向におけるピン７の移動も引き起こされる。ピン７は、ねじりばね８と相互作用し、ばねをねじり、それゆえ斜め衝突力と基本的に逆のスプリング力を作り出す。例えば、ばねを囲む圧縮性媒体または減衰部材を入れることによっても、減衰力が作りだされる。
【００７３】
図５ｃでは、少なくとも２つの、ただし好ましくは少なくとも３つの、スプリング力及び／または減衰力を作り出すデバイス８が、第１の実施態様による連結部材７に連結される。スプリング力及び／または減衰力を作り出すかかるデバイス８は、板ばね又はらせんばねであり、該板ばね又はらせんばねが、一端８ａにおいて連結部材７に連結され、かつ他端８ｂにおいて第１または第２ヘルメット部分（図示せず）のいずれか一方に連結される。斜め衝突力が第２ヘルメット部分（図示せず）に作用する場合、ピン７が、ばね８に相互作用し、それぞれのばねを圧縮し、または引き伸ばし、それゆえに基本的に斜め衝突力と逆のスプリング力を作り出す。減衰力は、例えば、封入されたハウジングに圧縮性媒体または減衰性部材を入れることによっても作り出され得、該ハウジングが、別個または全てのばねを取り囲む。
【００７４】
図６ａ及び６ｂは、スプリング力及び／または減衰力を作り出すためのデバイス８の第４の実施態様を示し、該デバイス８は、図６ａにおいて第２の実施態様の連結部材７を用いてエネルギー吸収構造に適用される。エネルギー吸収構造は、スプリング力及び／または減衰力を作り出すためのデバイス８の第１のタイプのヘルメットであり得る。これは、他のいかなるタイプのヘルメットでもあり得る。スプリング力及び／または減衰力を作り出すためのデバイス８の本実施態様を使用する場合、１の連結装置６のみが、第１及び第２部分を連結し、部分２，３の間の運動を制御するために必要である。スプリング力及び／または減衰力を作り出すデバイスは、本実施態様において少なくとも２つの交差する折り曲げることのできる物体８’，８’’であり、該物体８’，８’’は、板ばねの機能を果たす。中心点において結合した３以上の折り曲げることのできる物体を使用することも可能である。これらの交点又は中心点において、ピン７の第１端７ａが取り付けられる。ピンの他端７ｂは、第１部分２に取り付けられる。折り曲げることのできる物体８’，８’’の自由端が、第２部分３に配置された中空のスペース１０または第２部分３に取り付けられた別個の部分において取り付けられる。中空のスペース１０は、平坦または曲線形状の内面を有する。従って、第２部分３がスライドし始めるとき、曲げることのできる物体８，８’’が、中空のスペード（hollow spade）１０の曲面形状の内面上をスライドし、曲面形状の表面の後にこれらの形状を曲げて調整する。この曲げ運動が、エネルギーを吸収し、第１及び第２部分２，３の間のスライド運動を弱める（counteracts）。
【００７５】
連結部材７の第２の実施態様を有する示された全ての実施態様では、第１及び第２部分２，３間の運動のための初期力または必要な力を増大させるべく、ノッチ、突起（ridges）、崩壊ピン等を使用することができる。
【００７６】
任意の実施態様または実施態様の一部、並びに任意の方法または方法の一部が、何らかの形で組み合わされ得ることは留意すべきである。本明細書中の全ての実施態様が、一般的な記述の一部としてみる必要があり、それゆえ一般的な用語において多少なりとも組み合わせることが可能である。
【図１】
0006454686.tif 000002
【図２ａ】
0006454686.tif 000003
【図２ｂ】
0006454686.tif 000004
【図３ａ】
0006454686.tif 000005
【図３ｂ】
0006454686.tif 000006
【図３ｃ】
0006454686.tif 000007
【図３ｄ】
0006454686.tif 000008
【図３ｅ】
0006454686.tif 000009
【図３ｆ】
0006454686.tif 000010
【図３ｇ】
0006454686.tif 000011
【図３ｈ】
0006454686.tif 000012
【図３ｉ】
0006454686.tif 000013
【図３ｊ】
0006454686.tif 000014
【図３ｋ】
0006454686.tif 000015
【図４】
0006454686.tif 000016
【図５ａ】
0006454686.tif 000017
【図５ｂ】
0006454686.tif 000018
【図５ｃ】
0006454686.tif 000019
【図６ａ】
0006454686.tif 000020
【図６ｂ】
0006454686.tif 000021